(57)【要約】  【課題】  装飾性のより高い照明が可能となる発光ボードを提供することである。  【解決手段】  板状のケース体１２０と、ケース体１２０に収容された光源１２４（１２６−１、１２６−２、１２６−３）とを有し、ケース体１２０の少なくとも１つの最広面１２０ａが光透過面となり、光源１２４（１２６−１、１２６−２、１２６−３）からの光により最広面１２０ａを発光させるようにした構成となる。これにより、ケース体のより広い面積での面発光による照明が可能となるので、当該発光ボードの配置の仕方などによって、その広い面積の発光面を照明と共に物品や空間に対する装飾として利用することができるようになる。【選択図】  図２
2006318737.tif 000002
【特許請求の範囲】
【請求項１】
板状のケース体と、該ケース体に収容された光源とを有し、
前記ケース体の少なくとも１つの最広面が光透過面となり、前記光源からの光により前記最広面を発光させるようにしたことを特徴とする発光ボード。
【請求項２】
前記ケース体の２以上の面が光透過面となり、前記光源からの光により前記２以上の面を発光させるようにしたことを特徴とする請求項１記載の発光ボード。
【請求項３】
前記ケース体の全面が光透過面となり、前記光源からの光により前記全面を発光させるようにしたことを特徴とする請求項１または２記載の発光ボード。
【請求項４】
前記光源は、異なる光色の複数の単位光源を有することを特徴とする請求項１乃至３のいずれかに記載の発光ボード。
【請求項５】
前記ケース体と一体となり、前記光源の発光制御を行なう制御ユニットを有することを特徴とする請求項１乃至４のいずれかに記載の発光ボード。
【発明の詳細な説明】
【技術分野】
【０００１】
本発明は、光源を備えた発光ボードに関する。
【背景技術】
【０００２】
従来、発光ダイオード（ＬＥＤ）を光源として備えた棚板が提案されている（例えば、特許文献１参照）。この棚板は、その下面から光照射がなされるように発光ダイオードが埋設され、キャビネットに収容された状態でそのキャビネット内における当該棚板の下方空間を照明できるようになっている。このような棚板により、キャビネット内に別途光源を設けなくても、そのキャビネット内の照明が可能になる。
【特許文献１】特開２００１−２５０４２０号公報
【発明の開示】
【発明が解決しようとする課題】
【０００３】
しかしながら、前述した棚板は、キャビネットに収納すべき物品を載置すると共に発光ダイオードによってそのキャビネット内を照明するものであって、装飾性を考慮したものではない。
【０００４】
本発明は、このような事情に鑑みてなされたものであって、装飾性のより高い照明が可能となる発光ボードを提供するものである。
【課題を解決するための手段】
【０００５】
本発明に係る発光ボードは、板状のケース体と、該ケース体に収容された光源とを有し、前記ケース体の少なくとも１つの最広面が光透過面となり、前記光源からの光により前記最広面を発光させるようにした構成となる。
【０００６】
このような構成により、板状のケース体の最広面が発光するようになるので、ケース体のより広い面積での面発光による照明が可能となる。
【０００７】
前記光透過面は、光源からの光が透過する性質を有するものであればよく、例えば、その光が拡散しつつ透過するものであってもよい。
【０００８】
また、本発明に係る発光ボードは、前記ケース体の２以上の面が光透過面となり、前記光源からの光により前記２以上の面を発光させるように構成することができる。
【０００９】
このような構成により、板状のケース体の最広面を含む２以上の面が発光するようになるので、ケース体の更に広い面積での面発光による照明が可能となる。
【００１０】
また、本発明に係る発光ボードは、前記ケース体の全面が光透過面となり、前記光源からの光により前記全面を発光させるように構成することができる。
【００１１】
このような構成により、板状のケース体の全ての面が発光するようになるので、ケース体全体での面発光による照明が可能となる。
【００１２】
更に、本発明に係る発光ボードは、前記光源が、異なる光色の複数の単位光源を有する構成とすることができる。
【００１３】
このような構成により、複数の単位光源からの異なる色の光によりケース体の少なくとも最広面が発光するようになるので、ケース体のより広い面積での種々の色の面発光による照明が可能となる。
【００１４】
また、本発明に係る発光ボードは、前記ケース体と一体となり、前記光源の発光制御を行なう制御ユニットを有する構成とすることができる。
【００１５】
このような構成により、光源の発光制御を遠隔にて行なう必要がなく、個々の発光ボードにおける光源の発光制御を容易に行なうことができるようになる。
【発明の効果】
【００１６】
本発明に係る発光ボードによれば、ケース体のより広い面積での面発光による照明が可能となるので、当該発光ボードの配置の仕方などによって、その広い面積の発光面を照明と共に物品や空間に対する装飾として利用することができる。即ち、装飾性のより高い照明が可能となる。
【発明を実施するための最良の形態】
【００１７】
以下、本発明の実施の形態について、図面を用いて説明する。
【００１８】
本発明の第１の実施の形態に係る発光ボードの外観は、図１に示すようになっている。
【００１９】
図１において、この発光ボード１００は、矩形板状のケース体１２０と、コントロールユニット１４０とが一体となった構造となっている。コントロールユニット１４０には外部の電源装置と接続可能な端子１６０が設けられている。
【００２０】
ケース体１２０は、図２（ａ）、（ｂ）にその断面が示されるように、コントロールユニット１４０の取付けられる端部が開放する中空の板状体となっている。また、ケース体１２０は、例えば、乳白色のポリカーボネート等の樹脂にて形成され、全ての面、即ち、板面１２０ａ、１２０ｂ（最広面）、コントロールユニット１４０の取付けられる端部と逆側に位置する先端面１２０ｃ及び各側面１２０ｄ、１２０ｅが光の拡散透過が可能な光透過面となっている。
【００２１】
ケース体１２０の内部には、コントロールユニット１４０から延びる板状の基板１２２が配置され、基板１２２のケース体１２０の各面１２０ａ、１２０ｂ、１２０ｃ、１２０ｄ、１２０ｅに対向する各面に多数の発光ユニット１２４が搭載されている。各発光ユニット１２４は、図３に示すように、それぞれが単位光源となる赤色発光ダイオード（以下、赤色ＬＥＤという）１２６−１、緑色発光ダイオード（以下、緑色ＬＥＤ）１２６−２及び青色発光ダイオード（以下、青色ＬＥＤという）１２６−３を備えており、赤、緑、青（光の三原色）の光照射が可能となっている。各発光ユニット１２４における赤色ＬＥＤ１２６−１、緑色ＬＥＤ１２６−２及び青色ＬＥＤ１２６−３の光量を制御することにより、それらの光が拡散透過するケース体１２０の乳白色となる各面１２０ａ、１２０ｂ、１２０ｃ、１２０ｄ、１２０ｅを任意の色にて発光させることができる。
【００２２】
各発光ユニット１２４の赤色ＬＥＤ１２６−１、緑色ＬＥＤ１２６−２及び青色ＬＥＤ１２６−３は、基板１２２上の配線パターンを介してコントロールユニット１４０に電気的に接続されている。コントロールユニット１４０は、図４に示すように、電子回路にて構成された発光調整部１４１及び供給電流制御部１４２を有している。発光調整部１４１は、操作部を有し、該操作部において発光ボード１００の発光させるべき面及びその発光色の指定操作がなされると、その指定操作に応じて、発光させるべき各発光ユニット１２４の赤色ＬＥＤ１２６−１、緑色ＬＥＤ１２６−２及び青色ＬＥＤ１２６−３に対する光量制御信号を出力する。供給電流制御部１４２は、端子１６０を介して外部の電源装置に接続されると共に基板１２２の配線パターンを介して各発光ユニット１２４の赤色ＬＥＤ１２６−１、緑色ＬＥＤ１２６−２及び青色ＬＥＤ１２６−３に接続され、発光調整部１４１からの光量制御信号に基づいて発光させるべき赤色ＬＥＤ１２６−１、緑色ＬＥＤ１２６−２及び青色ＬＥＤ１２６−３に対する電流供給制御を行なう。なお、前記操作部にて発光させるべき発光ユニット１２４の発光周期（点灯、消灯の繰り返し周期）を指定できるようにすることもできる。
【００２３】
なお、発光調整部１４１は、発光面、発光色等の発光パターンを予め複数記憶し、操作部にて選択された発光パターンに応じた発光ユニット１２４の各ＬＥＤ１２６−１、１２６−２、１２６−３に対する光量制御信号を出力するように構成することもできる。前記発光パターンには、発光周期（点灯、消灯の繰り返し周期）を含めることもできる。
【００２４】
前述したような発光ボード１００は、キャビネット内の棚板、オープン商品棚の棚板、物品等の載置台板、物品陳列台の背景壁板等に利用することができる。そして、ケース体１２０に収容された多数の発光ユニット１２４（赤色ＬＥＤ１２６−１、緑色ＬＥＤ１２６−２、青色ＬＥＤ１２６−３）の発光（光量）制御を行なうことによって、板状のケース体１２０の２つの板面１２０ａ、１２０ｂ（最広面）を含む全ての面１２０ａ〜１２０ｅを選択的に発光させることができるようになる。このようにケース体１２０の全面となるより広い面積での面発光による照明が可能となるので、物品、空間等に対する単なる照明だけではなく、物品、空間等に対する光の装飾が可能となり、装飾性の高い照明が可能となる。また、ケース体１２０の各面の発光色も各発光ユニット１２４の赤色ＬＥＤ１２６−１、緑色ＬＥＤ１２６−２及び青色ＬＥＤ１２６−３それぞれの光量を調整することにより任意の色に設定することができるので、更に装飾性の高い照明が可能となる。
【００２５】
なお、前述した例では、発光ボード１００におけるケース体１２０の全ての面１２０ａ〜１２０ｅが発光可能なようにケース体１２０の構造及びケース体１２０内における各発光ユニット１２４の配置が決められているが、少なくとも１つの板面１２０ａ（最広面）が発光可能となるようにケース体１２０の構造及びケース体１２０内における各発光ユニット１２４０の配置を決めることができる。この場合であっても、少なくともケース体１２０の最広面となる板面１２０ａが発光するようになり、より広い面積での面発光が可能となるので、従来に比べてより装飾性の高い照明が可能となる。
【００２６】
また、前述した発光ボード１００では、光の三原色となる赤、緑、青の光色となる赤色ＬＥＤ１２６−１、緑色ＬＥＤ１２６−２及び青色ＬＥＤ−３を備えた発光ユニット１２４を多数ケース体１２０内に備えるものであったが、ケース体１２０内に所定の光色（単色）となるＬＥＤを多数設けるものであってもよい。この場合、ケース体１２０の各面がその光色（単色）にて発光する。
【００２７】
次に、前述した発光ボード１００の設置例について説明する。
【００２８】
発光ボード１００の第１の設置例が図５に示される。この例では、オープン商品棚２１０の棚板として発光ボード１００が利用される。図５において、棚台２１２の上面の略中央部に棚台２１２の長手方向に延びる枠部材２１１が立設されている。棚台２１２の上面に枠部材２１１の下バー２１１ａを挟んで両側に複数の発光パネル１００が設けられている。各発光パネル１００のコントロールユニット１４０の端子１６０（図示されず）が下バー２１１ａに設けられた端子（図示略）に電気的に接続されている。また、枠部材２１１の上バー２１１ｂに当該上バー２１１ｂを挟んで両側に複数の発光ボード１００が取付けられている。各発光ボード１００のコントロールユニット１４０の端子１６０（図示されず）が上バー２１１ｂに設けられた端子（図示略）に電気的に接続されている。外部の電源装置（図示略）から枠部材２１１に対して配線がなされ、枠部材２１１における下バー２１１ａ及び上バー２１１ｂの各端子及びそれに接続された端子１６０を介して各発光ボード１００のコントロールユニット１４０への電源接続がなされる。
【００２９】
このようなオープン商品棚２１０では、コントロールユニット１４０による発光調整によって棚板となる各発光ボード１００の各面が所望色にて発光する。例えば、隣接する発光ボード１００の発光色が異なるように各発光ボード１００のコントロールユニット１４０にてその発光調整を行なうことができる。このような各発光ボード１００に商品を陳列することにより、その商品に対する照明が可能になると共に、各面の発光する各発光ボード１００からの光によってその商品に対する光装飾が可能となる。
【００３０】
発光ボード１００の第２の設置例が図６に示される。この例では、ディスプレイ補助具２２０として発光ボード１００が利用される。図６において、このディスプレイ補助具２２０は、連結軸２２１にて連結された２つの発光ボード１００にて構成される。２つの発光ボード１００は連結軸２２１を挟んで所定の角度に維持されている。各発光ボード１００のコントロールユニット１４０の端子１６０（図示されず）が連結軸２２１に設けられた端子（図示略）に電気的に接続されている。外部の電源装置（図示略）から連結軸２２１に対して配線がなされ、連結軸２２１の各端子及びそれに接続された端子１６０を介して各発光ボード１００のコントロールユニット１４０への電源接続がなされる。
【００３１】
このようなディスクプレイ補助具２２０は、一方の発光ボード１００を棚、テーブル等に載置して他方の発光ボード１００が起立した状態で用いられる。例えば、起立した発光ボード１００の前面（ケース体１２０の最広面：図１、図２参照）に模様の形成されたフィルムがセットされる。この状態で、コントロールユニット１４０による発光調整によって各発光ボード１００の各面が所望色にて発光する。これにより、棚、テーブル等に載置された発光ボード１００の上方空間に対して光による装飾がなされると共に、起立した発光ボード１００の前面にその発光色を背景とした模様が表れる。この場合、ディスプレイ補助具２２０自体が棚、テーブル等の装飾物となり得る。
【００３２】
また、棚、テーブル等に載置された発光ボード１００の発光面（最広面）に物品を置くこともできる。この場合、その発光面からの光及び起立した発光ボード１００の前面からの光によって前記物品の照明が可能となると共に、その物品に対する光装飾が可能となる。
【００３３】
発光ボード１００の第３の設置例が図７に示される。この例では、物品陳列台２３０の仕切り壁として発光ボード１００が利用される。図７において、この物品陳列台２３０は、台座２３１の略中央部に支柱２３２が立設され、４つの発光ボード１００が支柱２３２を囲んで十文字に配置されるように台座２３１に設置される。各発光ボード１００のコントロールユニット１４０の端子１６０（図示されず）が支柱２３２に設けられた端子（図示略）に電気的に接続されている。外部の電源装置（図示略）から支柱２３２に対して配線がなされ、支柱２３２の各端子及びそれに接続された端子１６０を介して各発光ボード１００のコントロールユニット１４０への電源接続がなされる。
【００３４】
このような物品陳列台２３０では、台座２３１上の各発光ボード１００で区画された部分に物品が載置される。この状態で、コントロールユニット１４０による発光調整によって仕切り壁となる各発光ボード１００の各面が所望色にて発光する。その結果、各面の発光する各発光ボード１００からの光により各物品に対する照明が可能になると共にその各物品に対する光装飾が可能となる。
【００３５】
発光ボード１００の第４の設置例が図８に示される。この例では、テーブル２４０の天板として発光ボード１００が利用される。図８において、このテーブル２４０は、脚台２４１と脚台２４１の上面に天板として固定される複数の発光ボード１００とを備えている。複数の発光ボード１００は、脚台２４１の長手方向に２列分配列され、各列の発光ボード１００がコントロールユニット１４０を付き合わせた状態となっている。各発光ボード１００のコントロールユニット１４０の端子１６０（図示されず）が脚台２４１に設けられた端子（図示略）に電気的に接続されている。外部の電源装置（図示略）から脚台２４１に配線がなされ、脚台２４１の各端子及びそれに接続された端子１６０を介して各発光ボード１００のコントロールユニット１４０への電源接続がなされる。
【００３６】
このようなテーブル２４０では、コントロールユニット１４０による発光調整によって天板となる各発光ボード１００の各面が所望色に発光する。その結果、各面の発光する各発光ボード１００からの光によりテーブル２４０が設置される空間に対する装飾が可能となる。
【００３７】
発光ボード１００の第５の設置例が図９に示される。この例では、商品棚２５０の棚板として発光ボード１００が利用される。図９において、この商品棚２５０は、前面が開放するケース２５１と、ケース２５１に棚板として着脱自在に収容された複数の発光ボード１００とを備えている。各発光ボード１００は、そのコントロールユニット１４０がケース２５１の背面板に突き当たった状態となっている。各発光ボード１００のコントロールユニット１４０の端子１６０（図示されず）がケース２５１の背面板に設けられた端子（図示略）に電気的に接続される。外部の電源装置（図示略）からケース２５１に配線がなされ、ケース２５１の各端子及びそれに接続された端子１６０を介して各発光ボード１００のコントロールユニット１４０への電源接続がなされる。
【００３８】
このような商品棚２５０では、コントロールユニット１４０による発光調整によって棚板となる各発光ボード１００の各面が所望色に発光する。その結果、各面の発光する各発光ボード１００からの光によって、各発光ボード１００に載せられた商品が照明されるとともにその商品に対する光装飾がなされる。
【００３９】
前述した第１乃至第５の設置例（図５乃至図９参照）において、複数の発光ボード１００の発光面、発光色、光量等は、個々的に設けられたコントロールユニット１４０によって制御されるものであったが、オープン商品棚２１０（図５参照）、ディスプレイ補助具２２０（図６参照）、物品陳列台２３０（図７参照）、テーブル２４０（図８参照）、商品棚２５０の外部に設けられたコントロールユニットにより各発光ボード１００の発光面、発光色、光量等を統括的に制御することも可能である。
【００４０】
発光ボード１００の第６の設置例が図１０に示される。この例では、キャビネット２６０の天板として発光ボード１００が利用される。図１０において、このキャビネット２６０は、開閉扉を有するキャビネット本体２６１とキャビネット本体２６１の上面に天板として設けられた発光ボード１００とを備えている。発光ボード１００は、図１及び図２に示す構造と異なり、キャビネット本体２６１の上面に対向する面が光透過面とはなっておらず、その面にコントロールユニット１４０（図示されず）が設けられている。そのため、コントロールユニット１４０は、キャビネット本体２６１内に突出している（図示略）。外部の電源装置（図示略）からキャビネット本体２６１に配線がなされ、その配線がコントロールユニット１４０の端子１６０に接続されることにより、発光ボード１００のコントロールユニット１４０への電源接続がなされる。
【００４１】
このようなキャビネット２６０では、コントロールユニット１４０による発光調整によって天板となる発光ボード１００の各面が所望色に発光する。その結果、各面の発光する発光ボード１００からの光によってその発光ボード１００に載せられた物品が照明されると共にその商品に対する光装飾がなされる。
【００４２】
次に本発明の第２の実施の形態について説明する。
【００４３】
本発明の第２の実施の形態に係る発光ボードの設置例が図１１に示される。円板形状の発光ボード１００がテーブル２７０の回転天板として利用されている。このテーブル２７０は、円柱状の脚台２７１の上面に天板としての円板形状の発光ボード１００が回転可能に設けられている。この発光ボード１００は、図１２（ａ）、（ｂ）にその断面が示されるように、中空の円板形状となるケース体１２０内に円板形状の基板１２２が同心的に設けられた構造となっている。ケース体１２０の脚台２７１に対向する板面１２０ｂは、遮光性材で形成され、板面１２０ｂに対向する板面１２０ａ（最広面）及び側面１２０ｆが、前述した例と同様に、乳白色のポリカーボネート等の樹脂で形成され、光を拡散透過する光透過面となっている。
【００４４】
基板１２２のケース体１２０の板面１２０ａ及び側面１２０ｆのそれぞれに対向する面に多数の発光ユニット１２４が搭載されている。各発光ユニット１２４は、前述した例（図３参照）と同様に、赤色ＬＥＤ１２６−１、緑色ＬＥＤ１２６−２及び青色ＬＥＤ１２６−３を備えており、赤、緑、青（光の三原色）の光照射が可能となっている。ケース体１２０の遮光部材で形成された板面１２０ｂには図４に示す構成となるコントロールユニット１４０が取付けられている。各発光ユニット１２４の赤色ＬＥＤ１２６−１、緑色ＬＥＤ１２６−２及び青色ＬＥＤ１２６−３は、基板１２２上の配線パターンを介してコントロールユニット１４０の電流供給制御部１４２に電気的に接続されている。外部の電源装置（図示略）から脚台２７１に配線がなされ、その配線がコントロールユニット１４０の端子１６０に接続され、発光ボード１００のコントロールユニット１４０への電源接続がなされる。
【００４５】
前述したようなテーブル２７０では、コントロールユニット１４０による発光調整によって回転天板となる発光ボード１００の各面１２０ａ、１２０ｆが所望色に発光する。その結果、各面１２０ａ、１２０ｆの発光する発光ボード１００からの光によって発光ボード１００上に載せられた物品が照明されるとともにその商品に対する光装飾がなされる。
【００４６】
なお、図１０に示す発光ボード１００の設置例及び図１１に示す円板形状となる発光ボード１００の設置例では、発光ボード１００の発光面、発光色、光量等は、その発光ボード１００に設けられたコントロールユニット１４０によって制御されるものであったが、テーブル２６０、２７０の外部に設けられたコントロールユニットにより発光ボード１００の発光面、発光色、光量等を制御することも可能である。
【産業上の利用可能性】
【００４７】
以上、説明したように、本発明に係る発光ボードは、装飾性のより高い照明が可能となるという効果を有し、光源を備えた発光ボードとして有用である。
【図面の簡単な説明】
【００４８】
【図１】本発明の第１の実施の形態に係る発光ボードの外観を示す斜視図である。
【図２】図１に示す発光ボードの構造を示す断面図である。
【図３】発光ユニットの構成を示す図である。
【図４】コントローラの構成を示すブロック図である。
【図５】発光ボードの第１の設置例を示す斜視図である。
【図６】発光ボードの第２の設置例を示す斜視図である。
【図７】発光ボードの第３の設置例を示す斜視図である。
【図８】発光ボードの第４の設置例を示す斜視図である。
【図９】発光ボードの第５の設置例を示す斜視図である。
【図１０】発光ボードの第６の設置例を示す斜視図である。
【図１１】本発明の第２の実施の形態に係る発光ボードの設置例を示す斜視図である。
【図１２】図１１に示す発光ボードの構造を示す断面図である。
【符号の説明】
【００４９】
１００  発光ボード
１２０  ケース体
１２０ａ、１２０ｂ  板面
１２０ｃ  先端面
１２０ｄ、１２０ｅ、１２０ｆ  側面
１２２  基板
１２４  発光ユニット
１２６−１  赤色発光ダイオード（赤色ＬＥＤ）
１２６−２  緑色発光ダイオード（緑色ＬＥＤ）
１２６−３  青色発光ダイオード（青色ＬＥＤ）
１４０  コントロールユニット
１４１  発光調整部
１４２  電流供給制御部
１６０  端子
２１０  オープン商品棚
２１１  枠部材
２１１ａ  下バー
２１１ｂ  上バー
２１２  棚台
２２０  ディスプレイ補助具
２２１  連結軸
２３０  物品陳列台
２３１  台座
２３２  支柱
２４０、２７０  テーブル
２４１、２７１  脚台
２５０  商品棚
２５１  ケース
２６０  キャビネット
２６１  キャビネット本体
【図１】
2006318737.tif 000003
【図２】
2006318737.tif 000004
【図３】
2006318737.tif 000005
【図４】
2006318737.tif 000006
【図５】
2006318737.tif 000007
【図６】
2006318737.tif 000008
【図７】
2006318737.tif 000009
【図８】
2006318737.tif 000010
【図９】
2006318737.tif 000011
【図１０】
2006318737.tif 000012
【図１１】
2006318737.tif 000013
【図１２】
2006318737.tif 000014